(57)【要約】      （修正有）【課題】照明ダミーカードモジュールを提供する。【解決手段】照明ダミーカードモジュール１００は、回路基板１１０と電源ピン１２２とクロックピン１２４とデータピン１２６と少なくとも１個の光源１３０と電源変換回路１４０と駆動回路１５０と、を含む。回路基板は、インターフェースカードスロット２２０に挿設するための差込部１１２を備える。電源ピン、クロックピン及びデータピンは差込部に設けられ、かつ、光源が回路基板上に設けられる。電源変換回路は、回路基板に設けられると共に電源ピンを通じて、インターフェースカードスロットから入力電力を受け取って出力電力に変換する。駆動回路は、回路基板に設けられ、電源変換回路から出力電力を受け取り、クロックピン及びデータピンを通じて、各々インターフェースカードスロットからクロック信号及び制御コマンドを受信することで、クロック信号及び制御コマンドに基づき光源をオンオフにする。【選択図】図２
2019192623.tif 000002
【特許請求の範囲】
【請求項１】
基本入出力システムモジュールと少なくとも１個のインターフェースカードスロットと、を含むマザーボードに適用される照明ダミーカードモジュールにおいて、
前記インターフェースカードスロットは、少なくとも１本の電源線とクロック信号線とデータ信号線とを備え、
前記クロック信号線及び前記データ信号線が前記基本入出力システムモジュールに接続され、
前記照明ダミーカードモジュールは、
回路基板の一側縁部に延伸し、前記インターフェースカードスロットに挿設するために用いられる差込部を備えた回路基板と、
前記差込部に設けられ、各々前記電源線、前記クロック信号線及び前記データ信号線に電気的に接続するために用いられる電源ピン、クロックピン及びデータピンと、
前記回路基板上に設けられる少なくとも１個の光源と、
前記回路基板に設けられると共に前記電源ピン及び前記電源線を通じて、前記インターフェースカードスロットから入力電力を受け取って出力電力に変換する電源変換回路と、
前記回路基板に設けられ、前記電源変換回路から前記出力電力を受け取り、前記クロックピン及び前記データピンを通じて、各々前記インターフェースカードスロットから前記クロック信号及び前記制御コマンドを受信することで、前記クロック信号及び前記制御コマンドに基づき前記光源をオン又はオフにするために用いられる駆動回路と、を含むことを特徴とする、
照明ダミーカードモジュール。
【請求項２】
前記差込部及び前記回路基板は、一体化成形されることを特徴とする、請求項１に記載の照明ダミーカードモジュール。
【請求項３】
前記差込部は、エッジコネクタであることを特徴とする、請求項１に記載の照明ダミーカードモジュール。
【請求項４】
前記電源ピンと前記クロックピンと前記データピンとの間の相対位置は、前記電源線と前記クロック信号線と前記データ信号線との間の相対位置に対応することを特徴とする、請求項１に記載の照明ダミーカードモジュール。
【請求項５】
前記回路基板に着脱可能に設けられたサブカードを更に含み、前記光源が前記サブカード上に設けられることを特徴とする、請求項１に記載の照明ダミーカードモジュール。
【請求項６】
前記クロック信号及び前記制御コマンドは、前記基本入出力システムから出され、また各々前記クロック信号線及び前記データ信号線を通じて出力することを特徴とする、請求項１に記載の照明ダミーカードモジュール。
【請求項７】
前記駆動回路は、コントローラと少なくとも１個のトランジスタスイッチとを含み、前記トランジスタスイッチの一端が前記光源に接続され、他端が前記電源変換回路に接続されることで、前記出力電力を受け取り、前記コントローラは、前記クロック信号及び前記制御コマンドに基づいて前記トランジスタスイッチを導通又は遮断に切り替えるために用いられることを特徴とする、請求項１に記載の照明ダミーカードモジュール。
【請求項８】
前記クロック信号は、前記コントローラが切り替え時間を計算する基準として使用され、前記制御コマンドは前記コントローラが前記トランジスタスイッチのオン及びオンの時間を決定するためのものであることを特徴とする、請求項７に記載の照明ダミーカードモジュール。
【請求項９】
前記コントローラに複数の制御モードをビルトインし、前記コントローラは各前記制御モードの設定に基づいて異なる時間に対応の前記光源をオン又はオフにし、かつ前記制御コマンドが前記制御モードのいずれかを選択するために用いられることを特徴とする、請求項７に記載の照明ダミーカードモジュール。
【請求項１０】
前記制御コマンドは、少なくとも１つの制御モードの設定を含み、前記設定が各前記光源のオンとオフの時間を含み、前記クロック信号は前記コントローラが切り替え時間を計算する基準として使用されることを特徴とする、請求項７に記載の照明ダミーカードモジュール。
【発明の詳細な説明】
【技術分野】
【０００１】
本発明は、ダミーカード（ｄｕｍｍｙ  ｍｏｄｕｌｅ）に関し、特に、照明ダミーカードモジュールに関する。
【背景技術】
【０００２】
ダミーカード／ダミーコネクタは、外観や幾何学的寸法において正常なインターフェースカード／電気コネクタと同じで、対応するスロットに差し込むことができ、又はダミーカード／ダミーコネクタはプラグカバーの形として製造して、直接スロットの開口部を覆うことができる。
ダミーカード／ダミーコネクタ自体には回路が配置されていないため、電気的な接続機能を提供できない。ダミーカード／ダミーコネクタは、主に占用・アイドル或いは使用制限のスロットに使用され、またスロットを覆って保護することで、スロットが異物や塵埃によって汚損されることを避け、使用制限のスロットが誤用されることを避けることもできる。
【０００３】
ダミーカード／ダミーコネクタは、通常絶縁材料で製造され、かつ大半が一体成形され、スロットの狭い開口部を塞ぐか又はスロット全体を覆うだけでよい。コンピュータのマザーボードについて言うと、スロットを配置する時、マザーボードのハードウェア資源は、装備するスロットの運用を十分支援し、アイドル或いは使用制限のスロットが往々にしてハードウェア資源の無駄となる。よって、アイドル或いは使用制限のスロットについて運用できる場合、ハードウェア資源をより一層十分に利用させることができる。
【発明の概要】
【発明が解決しようとする課題】
【０００４】
本発明は、上記問題点に鑑み、従来のダミーカードの保護機能を持っている以外に、更にマザーボードから供給される電力を利用して照明を当てることで、装飾照明の効果を奏することができる照明ダミーカードモジュールを提供する。
【課題を解決するための手段】
【０００５】
本発明は、マザーボードに適用される照明ダミーカードモジュールを提供し、マザーボードは基本入出力システムモジュールと少なくとも１個のインターフェースカードスロットとを含み、インターフェースカードスロットは、少なくとも１本の電源線とクロック信号線とデータ信号線とを備え、かつクロック信号線及びデータ信号線が基本入出力システムモジュールに接続される。照明ダミーカードモジュールは、回路基板と電源ピンとクロックピンとデータピンと少なくとも１個の光源と電源変換回路と駆動回路と、を含む。
【０００６】
回路基板は、回路基板の一側縁部に延伸する差込部を備え、差込部がインターフェースカードスロットに挿設するために用いられる。電源ピン、クロックピン及びデータピンは差込部に設けられ、各々電源線、クロック信号線及びデータ信号線に電気的に接続するために用いられる。光源は、回路基板上に設けられる。電源変換回路は、回路基板に設けられると共に電源ピン及び電源線を通じて、インターフェースカードスロットから入力電力を受け取って出力電力に変換する。駆動回路は、回路基板に設けられ、電源変換回路から出力電力を受け取り、クロックピン及びデータピンを通じて、各々インターフェースカードスロットからクロック信号及び制御コマンドを受信することで、クロック信号及び制御コマンドに基づき光源をオン又はオフにするために用いられる。
【０００７】
少なくとも１つの実施例において、差込部及び回路基板は、一体化成形される。
【０００８】
少なくとも１つの実施例において、差込部は、エッジコネクタである。
【０００９】
少なくとも１つの実施例において、電源ピンとクロックピンとデータピンとの間の相対位置は、電源線とクロック信号線とデータ信号線との間の相対位置に対応する。
【００１０】
少なくとも１つの実施例において、照明ダミーカードモジュールは、回路基板に着脱可能に設けられたサブカードを更に含み、光源がサブカード上に設けられる。
【００１１】
少なくとも１つの実施例において、クロック信号及び制御コマンドは、基本入出力システムから出され、また各々クロック信号線及びデータ信号線を通じて出力する。
【００１２】
少なくとも１つの実施例において、駆動回路は、コントローラと少なくとも１個のトランジスタスイッチとを含み、トランジスタスイッチの一端が光源に接続され、他端が電源変換回路に接続されることで、出力電力を受け取り、コントローラは、クロック信号及び制御コマンドに基づいてトランジスタスイッチを導通又は遮断に切り替えるために用いられる。
【００１３】
少なくとも１つの実施例において、クロック信号は、コントローラが切り替え時間を計算する基準として使用され、制御コマンドはコントローラがトランジスタスイッチのオン及びオンの時間を決定するためのものである。
【００１４】
少なくとも１つの実施例において、コントローラに複数の制御モードをビルトインし、コントローラは各制御モードの設定に基づいて異なる時間に対応の光源をオン又はオフにし、かつ制御コマンドが制御モードのいずれかを選択するために用いられる。
【００１５】
少なくとも１つの実施例において、制御コマンドは、少なくとも１つの制御モードの設定を含み、設定が各光源のオンとオフの時間を含み、クロック信号はコントローラが切り替え時間を計算する基準として使用される。
【発明の効果】
【００１６】
本発明に係る照明ダミーカードモジュールは、アイドル中のインターフェースカードスロットを通じて電力を受け取ることで装飾照明を当て、マザーボードのアイドル資源を効果的に利用できる。
また、本発明に係る照明ダミーカードモジュールは、その他の母線機能に必要なピンを備えておらず、マザーボードのデータチャネルを占用せず又は演算資源を消費することなく従来のダミーカードの保護機能を提供できる。
【図面の簡単な説明】
【００１７】
【図１】本発明の実施例１を示す立体図である。
【図２】本発明の実施例１に係る回路ブロック図である。
【図３】本発明の実施例１に係る駆動回路の回路図である。
【図４】本発明の実施例２に係る一部構成要素の回路ブロック図である。
【図５】本発明の実施例３に係る一部構成要素の回路ブロック図である。
【発明を実施するための形態】
【００１８】
[実施例１]
図１及び図２は、本発明の実施例１で提供するマザーボード２００に適用される照明ダミーカードモジュール１００であり、マザーボード２００は、基本入出力システムモジュール２１０（ＢＩＯＳ２１０）と少なくとも１個のインターフェースカードスロット２２０とを含む。
前記マザーボード２００は、中央処理装置２３０（ＣＰＵ２３０）とマザーボード２００を構成するために必要な電子回路素子（図示せず）とを更に含む。前述ＣＰＵ２３０及び必要な電子回路素子は、マザーボード２００技術分野における通常の知識であり、通常の知識を有する者が先行技術に基づいて実施できるので、ここでそれら技術の詳細を省略する。
【００１９】
図２に示すように、インターフェースカードスロット２２０は、少なくとも電源線２２２とクロック信号線２２４とデータ信号線２２６とアース線２２８とを備え、かつクロック信号線２２４及びデータ信号線２２６がＢＩＯＳ２１０に接続される。
インターフェースカードスロット２２０のアイドル時、照明ダミーカードモジュール１００は、インターフェースカードスロット２２０に挿設されることで、インターフェースカードスロット２２０を保護し、インターフェースカードスロット２２０に異物侵入や汚損をさせないようにする。インターフェースカードスロット２２０は、その他の信号線を更に含み、一般インターフェースカードと電気的に接続して通信リンクを確立するために用いられ、それら信号線は照明ダミーカードモジュール１００の使用時には作用せず、かつ照明ダミーカードモジュール１００で覆われて保護される。
マザーボード２００は、電源線２２２を通じて入力電力Ｖ１を出力し、クロック信号線２２４を通じてクロック信号ＳＣＬを出力し、またデータ信号線２２６を通じて制御コマンドＳＤＡを出力する。
【００２０】
図１及び図２に示すように、照明ダミーカードモジュール１００は、回路基板１１０と電源ピン１２２とクロックピン１２４とデータピン１２６と接地ピン１２８と１個又は複数の光源１３０と電源変換回路１４０と駆動回路１５０と、を含む。
【００２１】
図１及び図２に示すように、回路基板１１０の形態は、ほとんど一般インターフェースカードの基板と同じであるが、その上の銅箔ラインが大幅に簡略化されている。
回路基板１１０は、回路基板１１０の一側縁部に延伸する差込部１１２を備え、かつ差込部１１２がインターフェースカードスロット２２０に挿設するために用いられる。前記差込部１１２は、回路基板１１０に延伸して回路基板１１０と一体化成形される。一具体的実施例において、差込部１１２は、エッジコネクタ（Ｅｄｇｅ  Ｃｏｎｎｅｃｔｏｒ）であり、ゴールドフィンガー（Ｇｏｌｄ  Ｆｉｎｇｅｒ）も呼ばれる。ただし、本発明において、照明ダミーカードモジュール１００は、主にインターフェースカードスロット２２０を保護するダミーカード（Ｄｕｍｍｙ  Ｃａｒｄ）として使用され、一般インターフェースカードの複雑な機能を持っていない。よって、差込部１１２上の電気メッキ方式で製造されたピン数量は大幅に減少され、装飾照明機能を駆動するために必要な電源ピン１２２、クロックピン１２４、データピン１２６及び接地ピン１２８を有するだけで、差込部１１２上ではその他のピンを含まない。
【００２２】
図１及び図２に示すように、電源ピン１２２、クロックピン１２４、データピン１２６及び接地ピン１２８は、各々差込部１１２に設けられ、かつそれらの間の相対位置が電源線２２２、クロック信号線２２４とデータ信号線２２６とアース線２２８との間の相対位置に対応する。
差込部１１２がインターフェースカードスロット２２０に挿設された時、電源ピン１２２、クロックピン１２４、データピン１２６及び接地ピン１２８は、各々電源線２２２、クロック信号線２２４、データ信号線２２６及びアース線２２８に接触すると共に電気的に接続される。
【００２３】
図１及び図２に示すように、光源１３０は、回路基板１１０上に設けられる。複数の光源１３０が設けられている時、光源１３０は特定の装飾ニーズに応じて配列され、かつ各々異なる色を発光できる。
光源１３０の具体的実施は、発光ダイオード（ＬＥＤ）、有機発光ダイオード（ＯＬＥＤ）、小型電球、エレクトロルミネッセンス素子（Ｅｌｅｃｔｒｏｌｕｍｉｎｅｓｃｅｎｃｅ  Ｄｅｖｉｃｅ）とすることができるがこれに限定されない。複数の光源１３０も別のサブカード１３２上に設けられることができ、サブカード１３２は回路基板１１０に着脱可能に設けられて迅速に複数の光源１３０を交換できる。
【００２４】
図１及び図２に示すように、電源変換回路１４０は、回路基板１１０に設けられると共に電源ピン１２２に電気的に接続され、電源ピン１２２及び電源線２２２を通じて入力電力Ｖ１を受け取り、また出力電力Ｖ２に変換する。電源変換回路１４０は、通常ＤＣ−ＤＣコンバータ（ＤＣ  ｔｏ  ＤＣ  ｃｏｎｖｅｒｔｅｒ）であるが、ＡＣアダプタ（ＡＣ  ａｄａｐｔｏｒ）を排除しない。
電源変換回路１４０は、電源線２２２及び電源ピン１２２を通じてインターフェースカードスロット２２０からの入力電力Ｖ１を受け取る。インターフェースカードスロット２２０がＰＣＩ  Ｅｘｐｒｅｓｓスロット（ＰＣＩｅ  Ｓｌｏｔ）の場合、前記入力電力Ｖ１の電圧は、３．３Ｖ又は１２Ｖであり、インターフェースカードスロット２２０がＤＤＲ  ＳＤＲＡＭスロットの場合、前記入力電力Ｖ１の電圧は、僅か２．５Ｖであり、前記電圧は、光源１３０のニーズを満たすことができない可能性があるため、直流を直流に変換して入力電力Ｖ１を電圧が光源１３０ニーズを満たす出力電力Ｖ２に変換する必要がある。
【００２５】
図１及び図２に示すように、駆動回路１５０は、回路基板１１０に設けられると共に電源変換回路１４０及び光源１３０に電気的に接続される。駆動回路１５０は、電源変換回路１４０から出力電力Ｖ２を受け取ると共にクロック信号ＳＣＬ及び制御コマンドＳＤＡに基づいて光源１３０を駆動する。
駆動回路１５０は、クロックピン１２４及びデータピン１２６に電気的に接続されることで、インターフェースカードスロット２２０からのクロック信号ＳＣＬ及び制御コマンドＳＤＡを受信し、かつクロック信号ＳＣＬ及び制御コマンドＳＤＡがＢＩＯＳ２１０から出されると共に各々クロック信号線２２４及びデータ信号線２２６を通じて出力する。
【００２６】
図３に示すように、一具体的実施例において、駆動回路１５０は、コントローラ１５２と複数のトランジスタスイッチ１５４とを含む。
各トランジスタスイッチ１５４の一端は、光源１３０のうちのいずれかに接続され、他端が電源変換回路１４０に接続されることで、出力電力Ｖ２を受け取る。コントローラ１５２は、クロック信号ＳＣＬ及び制御コマンドＳＤＡに基づいて、各トランジスタスイッチ１５４を導通又は遮断に切り替えることで、対応の光源１３０をオン或いはオフする。前記クロック信号ＳＣＬは、コントローラ１５２が切り替え時間を計算する基準として使用され、前記制御コマンドＳＤＡはコントローラ１５２がトランジスタスイッチ１５４のオン及びオフの時間を決定するためのものである。
一具体実施例において、コントローラ１５２は、すでにファームウェア或いはメモリープラグインの方式で複数の制御モードをビルトインすることで、コントローラ１５２が各制御モードの設定に基づいて、異なる時間に対応の光源１３０をオン或いはオフにするためのものであり、制御コマンドＳＤＡは複数の制御モードのうちのいずれかを選択するためのものである。
【００２７】
[実施例２]
図４に示すように、本発明の実施例２において、制御コマンドＳＤＡは、制御モード２１２ａ、２１２ｂ、２１２ｃの設定を含み、前記設定が各光源１３０のオン及びオフの時間を含み、前記クロック信号ＳＣＬはコントローラ１５２が切り替え時間を計算する基準として使用される。
コントローラ１５２は、直接制御コマンドＳＤＡから提供される設定に基づいて、異なる時間に対応の光源１３０をオン又はオフにする。前記制御モード２１２ａ、２１２ｂ、２１２ｃの設定は、プログラムコードの形でＢＩＯＳ２１０のファームウェア内に記録され、ＢＩＯＳ２１０がトリガー条件のトリガー、切替スイッチ２１４の選定或いはＣＰＵ２３０の制御に基づいていずれかを選択して設定をデータ信号線２２６によって制御コマンドＳＤＡで駆動回路１５０のコントローラ１５２に伝送する。
【００２８】
[実施例３]
図５に示すように、本発明の実施例３において、制御モード２１２ａ、２１２ｂ、２１２ｃの設定は、ＯＳで生成されてＢＩＯＳ２１０に伝送し、ＢＩＯＳ２１０が設定をデータ信号線２２６によって制御コマンドＳＤＡで駆動回路１５０のコントローラ１５２に伝送する。
【００２９】
本発明に係る照明ダミーカードモジュール１００は、アイドル中のインターフェースカードスロット２２０を通じて電力を受け取ることで装飾照明を当て、マザーボード２００のアイドル資源を効果的に利用できる。
かつ本発明に係る照明ダミーカードモジュール１００は、その他の母線機能に必要なピンを備えておらず、マザーボード２００のデータチャネルを占用せず又は演算資源を消費することなく従来のダミーカードの保護機能を提供できる。
【符号の説明】
【００３０】
１００  照明ダミーカードモジュール
１１０  回路基板
１１２  差込部
１２２  電源ピン
１２４  クロックピン
１２６  データピン
１２８  接地ピン  
１３０  光源
１３２  サブカード
１４０  電源変換回路
１５０  駆動回路
１５２  コントローラ
１５４  トランジスタスイッチ
２００  マザーボード
２１０  基本入出力システムモジュール（ＢＩＯＳ）
２１２ａ，２１２ｂ，２１２ｃ  制御モード
２１４  切替スイッチ
２２０  インターフェースカードスロット
２２２  電源線
２２４  クロック信号線
２２６  データ信号線
２２８  アース線
２３０  中央処理装置（ＣＰＵ）
Ｖ１  入力電力
Ｖ２  出力電力
ＳＣＬ  クロック信号
ＳＤＡ  制御コマンド
【図１】
2019192623.tif 000003
【図２】
2019192623.tif 000004
【図３】
2019192623.tif 000005
【図４】
2019192623.tif 000006
【図５】
2019192623.tif 000007
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
基本入出力システムモジュールと少なくとも１個のインターフェースカードスロットと、を含むマザーボードに適用される照明ダミーカードモジュールにおいて、
前記インターフェースカードスロットは、少なくとも１本の電源線とクロック信号線とデータ信号線とを備え、
前記クロック信号線及び前記データ信号線が前記基本入出力システムモジュールに接続され、
前記照明ダミーカードモジュールは、
回路基板の一側縁部に延伸し、前記インターフェースカードスロットに挿設するために用いられる差込部を備えた回路基板と、
前記差込部に設けられ、各々前記電源線、前記クロック信号線及び前記データ信号線に電気的に接続するために用いられる電源ピン、クロックピン及びデータピンと、
前記回路基板上に設けられる少なくとも１個の光源と、
前記回路基板に設けられると共に前記電源ピン及び前記電源線を通じて、前記インターフェースカードスロットから入力電力を受け取って出力電力に変換する電源変換回路と、
前記回路基板に設けられ、前記電源変換回路から前記出力電力を受け取り、前記クロックピン及び前記データピンを通じて、各々前記インターフェースカードスロットからクロック信号及び制御コマンドを受信することで、前記クロック信号及び前記制御コマンドに基づき前記光源をオン又はオフにするために用いられる駆動回路と、を含むことを特徴とする、
照明ダミーカードモジュール。
【請求項２】
前記差込部及び前記回路基板は、一体化成形されることを特徴とする、請求項１に記載の照明ダミーカードモジュール。
【請求項３】
前記差込部は、エッジコネクタであることを特徴とする、請求項１に記載の照明ダミーカードモジュール。
【請求項４】
前記電源ピンと前記クロックピンと前記データピンとの間の相対位置は、前記電源線と前記クロック信号線と前記データ信号線との間の相対位置に対応することを特徴とする、請求項１に記載の照明ダミーカードモジュール。
【請求項５】
前記回路基板に着脱可能に設けられたサブカードを更に含み、前記光源が前記サブカード上に設けられることを特徴とする、請求項１に記載の照明ダミーカードモジュール。
【請求項６】
前記クロック信号及び前記制御コマンドは、前記基本入出力システムから出され、また各々前記クロック信号線及び前記データ信号線を通じて出力することを特徴とする、請求項１に記載の照明ダミーカードモジュール。
【請求項７】
前記駆動回路は、コントローラと少なくとも１個のトランジスタスイッチとを含み、前記トランジスタスイッチの一端が前記光源に接続され、他端が前記電源変換回路に接続されることで、前記出力電力を受け取り、前記コントローラは、前記クロック信号及び前記制御コマンドに基づいて前記トランジスタスイッチを導通又は遮断に切り替えるために用いられることを特徴とする、請求項１に記載の照明ダミーカードモジュール。
【請求項８】
前記クロック信号は、前記コントローラが切り替え時間を計算する基準として使用され、前記制御コマンドは前記コントローラが前記トランジスタスイッチのオン及びオンの時間を決定するためのものであることを特徴とする、請求項７に記載の照明ダミーカードモジュール。
【請求項９】
前記コントローラに複数の制御モードをビルトインし、前記コントローラは各前記制御モードの設定に基づいて異なる時間に対応の前記光源をオン又はオフにし、かつ前記制御コマンドが前記制御モードのいずれかを選択するために用いられることを特徴とする、請求項７に記載の照明ダミーカードモジュール。
【請求項１０】
前記制御コマンドは、少なくとも１つの制御モードの設定を含み、前記設定が各前記光源のオンとオフの時間を含み、前記クロック信号は前記コントローラが切り替え時間を計算する基準として使用されることを特徴とする、請求項７に記載の照明ダミーカードモジュール。